(57)【特許請求の範囲】
【請求項１】
トップシートと、バックシートと、これら両シートとの間に介在する吸液性コアとを有するとともに、前記両シートの前後区域間に位置する股下区域の左右両側に円弧状に凹欠してなる脚周り部に沿って取付けた弾性部材とを有し、該弾性部材が、前記脚周り部の主として前半分に沿って円弧を描く伸縮性の第１弾性部材と、主として後半分に沿って円弧を描く伸縮性の第２弾性部材とからなるとともに、これら第１、第２弾性部材が前記股下区域の前後方向中央部において該股下区域の外方に向かって開くＶ字形をなして交差するとともに、そのＶ字形の開角が１４０°以下である使い捨て着用物品において、
前記コアが、前記股下区域の円弧状に凹欠してなる前記脚周り部に沿って該脚周り部の左右方向内方に位置する側縁を有し、
前記弾性部材が、前記第１、第２弾性部材の各々に、前記交差する部位よりも前記股下区域における外方寄りにおいて直接交差するとともに、前記コアの前記側縁から外方へ５ｍｍ以上離間して設けられる前記前後方向に伸縮可能な直線状の第３弾性部材を有し、前記第３弾性部材が前記直接交差する部位から前記前後区域の前記前後方向の端縁に達しない状態で該方向へ延び、
前記第１、第２弾性部材と前記第３弾性部材とで前記脚周り部を囲むことを特徴とする前記着用物品。
【請求項２】
トップシートと、バックシートと、これら両シートとの間に介在する吸液性コアとを有するとともに、前記両シートの前後区域間に位置する股下区域の左右両側に円弧状に凹欠してなる脚周り部に沿って取付けた弾性部材とを有し、該弾性部材が、前記脚周り部の前半分の一方の外端部から前記股下区域の前後方向中央部を越えて前記脚周り部の後半分の他方の外端部まで延びる伸縮性の第１弾性部材と、前記脚周り部の後半分の一方の外端部から前記股下区域の前後方向中央部を越えて前記脚周り部の前半分の他方の外端部まで延びる伸縮性の第２弾性部材とからなるとともに、これら第１、第２弾性部材が前記前後方向中央部において該股下区域の外方に向かって開くＶ字形をなして交差するとともに、そのＶ字形の開角が１４０°以下である使い捨て着用物品において、
前記コアが、前記股下区域の円弧状に凹欠してなる前記脚周り部に沿って該脚周り部の左右方向内方に位置する側縁を有し、
前記弾性部材が、前記第１、第２弾性部材の各々に、前記交差する部位よりも前記股下区域における外方寄りにおいて直接交差するとともに、前記コアの前記側縁から外方へ５ｍｍ以上離間して設けられる前記前後方向に伸縮可能な直線状の第３弾性部材を有し、前記第３弾性部材が前記直接交差する部位から前記前後区域の前記前後方向の端縁に達しない状態で該方向へ延び、
前記第１、第２弾性部材と前記第３弾性部材とで前記脚周り部を囲むことを特徴とする前記着用物品。
【発明の詳細な説明】
【０００１】
【産業上の利用分野】
この発明は使い捨ておむつやトレニングパンツなどの使い捨て着用物品に関する。
【０００２】
【従来の技術】
従来、これら着用物品の脚周り部に沿って弾性部材を取付け、該部を着用者の脚周りに密着させることは、慣用技術として知られている。また、かかる技術に基づく着用物品の弾性部材を脚周りの前半分に取付けた第１弾性部材と、後半分に取付けた第２弾性部材とにより構成する技術が米国特許第４，８９７，０８４号公報や特開平３−１８６２６３号公報によって公知である。これら公知技術を利用すると、脚周り部の前半分と後半分の各々で異なる条件、例えば弾性部材の種類やそれらの使用本数、間隔、収縮力などについて異なる条件を採用することができ、それによって着用感や体液の防漏性に優れた着用物品を得ることができる。
【０００３】
そして、米国特許第４，８９７，０８４号公報が教示するところによれば、使い捨ておむつにおいて、後区域の幅方向中央に基端を置き、左右脚周りの前半分のそれぞれに沿うように第１弾性部材をＶ字型に取付ける一方、前区域の幅方向中央に基端を置き、左右脚周りの後半分のそれぞれに沿うように第２弾性部材を逆Ｖ字型に取付け、これら第１および第２弾性部材を股下区域の前後方向中央部における脚周り近傍で交差させ、脚周り部をそれら第１弾性部材と第２弾性部材とで囲むことができる。
【０００４】
また、特開平３−１８６２６３号公報の教示するところによれば、例えば使い捨ておむつにおいて、第１弾性部材を各脚周りの前半分に取付け、かつ第２弾性部材を各脚周りの後半分に取付けて股下区域の前後方向中央部で第１および第２弾性部材の長さ方向の各内端を交差させることができる。
【０００５】
【発明が解決しようとする課題】
図７は、前記公知技術による使い捨ておむつにおいて、そのバックシート１２の脚周り部の前半分と後半分とに第１、２弾性部材１５，１６を取付け、それらを股下区域中央部において角度Ａで交差させた一例を示す平面図である。このおむつは、二つに折曲して前身頃と後身頃とを重ね合わせると、第１、２弾性部材１５，１６が着用者の脚周りに密着可能なループを形成することができる。しかし、第１、２弾性部材１５，１６は、交差角度Ａが小さくなると、交差する近傍が脚周りに密着しにくくなり、そこから体液が漏れ易くなるという問題がある。股下区域は、体液の排泄が集中するところであり、該区域で弾性部材が交差する着用物品では、その問題を軽視することができない。
【０００６】
かかる問題を解決するために、弾性部材の収縮力を強めることがある。ところが、そのような手段は、当該部位の問題を解決する一方で、脚周りの血行を阻害したり、物品の着用感を損ねるという問題を生じるから、完全な解決手段にはなり得ない。
【０００７】
そこで、この発明は、着用物品の前後方向に伸縮可能な第３弾性部材を脚周り部の前半分と後半分とに沿う第１弾性部材と第２弾性部材とに交差するように取付け、これら第１、２、３弾性部材で脚周り部を囲むことにより前記問題を解決することを課題にしている。
【０００８】
【課題を解決するための手段】
本発明が前記課題を解決するために手段とするところは、以下のとおりである。
【０００９】
本発明の一つは、トップシートと、バックシートと、これら両シートとの間に介在する吸液性コアとを有するとともに、前記両シートの前後区域間に位置する股下区域の左右両側に円弧状に凹欠してなる脚周り部に沿って取付けた弾性部材とを有し、該弾性部材が、前記脚周り部の主として前半分に沿って円弧を描く伸縮性の第１弾性部材と、主として後半分に沿って円弧を描く伸縮性の第２弾性部材とからなるとともに、これら第１、第２弾性部材が前記股下区域の前後方向中央部において該股下区域の外方に向かって開くＶ字形をなして交差するとともに、そのＶ字形の開角が１４０°以下である使い捨て着用物品を前提にしている。
【００１０】
かかる前提において、前記コアが、前記脚周り部に沿って該脚周り部の左右方向内方に位置する側縁を有し、前記弾性部材が、前記第１、第２弾性部材の各々に、前記交差する部位よりも前記股下区域における外方寄りにおいて直接交差するとともに、前記コアの前記側縁から外方へ５ｍｍ以上離間して設けられる前記前後方向に伸縮可能な直線状の第３弾性部材を有し、前記第３弾性部材が前記直接交差する部位から前記前後区域の前記前後方向の端縁に達しない状態で該方向へ延び、前記第１、第２弾性部材と前記第３弾性部材とで前記脚周り部を囲むことがこの発明の特徴である。
【００１１】
【００１２】
また、本発明の他の一つは、トップシートと、バックシートと、これら両シートとの間に介在する吸液性コアとを有するとともに、前記両シートの前後区域間に位置する股下区域の左右両側に円弧状に凹欠してなる脚周り部に沿って取付けた弾性部材とを有し、該弾性部材が、前記脚周り部の前半分の一方の外端部から前記股下区域の前後方向中央部を越えて前記脚周り部の後半分の他方の外端部まで延びる伸縮性の第１弾性部材と、前記脚周り部の後半分の一方の外端部から前記股下区域の前後方向中央部を越えて前記脚周り部の前半分の他方の外端部まで延びる伸縮性の第２弾性部材とからなるとともに、これら第１、第２弾性部材が前記前後方向中央部において該股下区域の外方に向かって開くＶ字形をなして交差するとともに、そのＶ字形の開角が１４０°以下である使い捨て着用物品を前提にしている。
【００１３】
かかる前提において、前記コアが、前記股下区域の円弧状に凹欠してなる前記脚周り部に沿って該脚周り部の左右方向内方に位置する側縁を有し、前記弾性部材が、前記第１、第２弾性部材の各々に、前記交差する部位よりも前記股下区域における外方寄りにおいて直接交差するとともに、前記コアの前記側縁から外方へ５ｍｍ以上離間して設けられる前記前後方向に伸縮可能な直線状の第３弾性部材を有し、前記第３弾性部材が前記直接交差する部位から前記前後区域の前記前後方向の端縁に達しない状態で該方向へ延び、前記第１、第２弾性部材と前記第３弾性部材とで前記脚周り部を囲むことがこの発明の特徴である。
【００１４】
【００１５】
【００１６】
【作用】
このように構成した着用物品では、着用物品の前後方向に伸縮可能な第３弾性部材を第１、第２弾性部材とそれら両弾性部材の交差部位の近傍で交差させてあるから、両部位の交差角度が比較的小さい場合でも、第３弾性部材の伸縮によって着用物品の脚周り部が着用者に密着する。
【００１７】
【実施例】
本発明に係る使い捨て着用物品の詳細を、使い捨てのパンツ型おむつを例にとり、添付の図面を参照しながら説明すると以下のとおりである。
【００１８】
図１は、着用状態にある使い捨てのパンツ型おむつ１の斜視図であるが、着用者の図示を省略してある。おむつ１は、胴周り開口部２と、左右一対の脚周り開口部３とを有し、各開口部２，３の全周に沿って胴周り弾性部材４と脚周り弾性部材５とがある。おむつ１の前後区域６，７を形成する前後身頃は、左右両側のそれぞれにおいて重なり合い、接合線９で一体になっている。
【００１９】
図２は、おむつ１を接合線９に沿って切り開き、前後に伸展した状態で示すおむつ１の分解斜視図である。おむつ１は、その厚み方向が透液性トップシート１１と、不透液性バックシート１２と、それら両シート１１，１２間に介在する吸液性コア１３とからなり、トップシート１１とバックシート１２とはコア１３の周縁から延出する部分が水密に接合し、コア１３は、両シート１１，１２の少なくともいずれか一方に間欠的に接合している。おむつ１の長手方向は、前後区域６，７と、それら区域間に介在する股下区域８とによって構成され、股下区域８の左右両側に弧状の凹欠からなる脚周り部１４がある。バックシート１２のトップシート１１と対向している内面には脚周り用の第１、２、３弾性部材１５，１６，１７がホットメルト接着剤（図示せず）により取付けてある。第１、２、３弾性部材１５，１６，１７は、それぞれが１本または２本以上の弾性リボンからなり、第１、２弾性部材１５，１６は、少なくとも脚周り部１４に沿う弧状の部分が伸長状態にあり、第３弾性部材１７は、前後方向へ伸長した状態にある。
【００２０】
図３は、バックシート１２の内面を示す平面図であって、第１、２、３弾性部材１５，１６，１７の取付け状態を明らかにしている。第１弾性部材１５は、脚周り部１４の前半分に位置するもので、着用者の左脚周り（図の右側の脚周り）から股下区域８を経て右脚周り（図の左側の脚周り）に延びている。第２弾性部材１６は、脚周り部１４の後半分に位置するもので、着用者の左脚周りから股下区域を経て右脚周りに延びている。第１、２弾性部材１５，１６は、それぞれ股下区域のほぼ中央においてＵ字と逆Ｕ字とを描き、該区域８の左右両側において交差し、交点２０，２１を形成している。第３弾性部材１７は、股下区域８の左右それぞれにおいて、おむつ１の長手方向に直線状に取付けてあり、交点２０，２１それぞれより僅かにおむつ１の側縁へ寄ったところで第１、２弾性部材１５，１６と直接交差し、前半分に交点２２，後半分に交点２３を形成し、これら交点から長手（前後）方向へ前後区域６，７の前後方向端縁（弾性部材4が位置する部位）に達しない状態で延びている。
【００２１】
このように第１、２、３弾性部材１５，１６，１７が取付けてある伸展状態のおむつ１は、長手方向を二分する中心線Ｘ−Ｘに沿ってトップシート１１（図１参照）を内側に二つに折り重ね、接合線９で接合すると、左右の脚周り部１４それぞれが脚周り開口部３（図１参照）を形成するとともに、第１弾性部材１５の外端部１５Ａ，１５Ｂと第２弾性部材１６の外端部１６Ａ，１６Ｂとが実質的に重なり合い、第１弾性部材１５と第２弾性部材１６とで着用者の脚周り方向に伸縮可能なループからなる脚周り弾性部材５を形成する（図１参照）。ただし、第１、２弾性部材１５，１６は、交点２０，２１とそのごく近傍の部位で横向きのＶ字、換言すると、股下区域における外方に向って開くＶ字を描き、かかる部位は、弾性部材が脚周り方向へ延びていないから、脚への密着が他の部位よりも悪くなる傾向にある。しかし、このおむつ１では、その脚周り方向の伸縮を補うように第３弾性部材１７が交点２０，２１の近傍で脚周り方向に伸縮し、おむつ１を着用者の脚に密着させることができる。Ｖ字の開角が１４０°以下になると、脚への密着が特に悪くなるから、そのような小さい開角に対して第３弾性部材１７を適用すると防漏効果が顕著になる。
【００２２】
図４、５、６は、本発明の実施態様を例示する図３と同様な平面図である。図４では、第１弾性部材１５は、左脚周り（図の右側の脚周り）の前半分の一方の外端部１５Ａから股下区域８を経て右脚周り（図の左側の脚周り）の後半分に延びて他方の外端部１５Ｂに至り、第２弾性部材１６は、左脚周りの後半分の一方の外端部１６Ａから股下区域８を経て右脚周りの前半分にまで延びて他方の外端部１６Ｂに至り、両弾性部材１５，１６が左脚周り部１４の近傍で交差し、交点２０を形成している。第３弾性部材１７は、この交差する交点２０よりも股下区域８における外方寄りでおむつ１の長手方向に取り付けてあり、第１、２弾性部材１５，１６と直接交差して前半分に交点２２，後半分に交点２３を形成している。図５では、第１、２弾性部材１５，１６がＸ字型を描くようにほぼ直線的に取付けてあり、図４の実施態様と同様に、第１弾性部材１５は、脚周りの前半分から股下区域８を経て後半分に至り、第２弾性部材１６は、脚周りの後半分から股下区域８を経て前半分に至り、第１、第２弾性部材１５，１６は、股下区域８の中央部において交差している。第３弾性部材１７も、図４の実施態様と同様に取り付けてあり、第１、２弾性部材１５，１６と直接交差して前半分に交点２２，後半分に交点２３を形成している。これら図４、図５の実施態様も、第１、第２、第３弾性部材１５，１６、１７とで、脚周り部１４を囲んでいる。
【００２３】
図６もまた実施態様の一例を示すバックシート１２の平面図である。この例では、おむつ１の前後方向に伸長した伸縮性シートからなる第３弾性部材１７がバックシート１２の内面に貼着してある。おむつ１の股下区域８は、第３弾性部材１７を貼着した広い範囲が前後方向へ収縮可能であり、着用者の股部に広く密着して体液の横漏れを効果的に防止することができる。
【００２４】
この発明に係る着用物品において、使い捨ておむつ１のように吸液性コア１３を使用する場合には、コア１３の剛性によって第３弾性部材１７の伸縮が妨げられないように、部材１７の取付け位置をコア１３の側縁３０（図２参照）から外方へ適宜離間させることが必要であって、その離間距離を好ましくは５ｍｍ以上にする。第１、２弾性部材１５，１６は、図３ないし６に例示のように、股下区域８を左から右へと横断することを不可欠とするものではなく、股下区域８で切断された状態にあってもよく、またそこに存在していなくてもよい。いずれの場合にも、第１、２弾性部材１５，１６は、脚周り開口部３の上方部分に外端部１５Ａ，１５Ｂ，１６Ａ，１６Ｂを有し、脚周り開口部３の下方部分に内端部を有しているのであるが、第１、２弾性部材１５，１６が股下区域８を横断するものであるときには、部材１５，１６がそれぞれの脚周り部１４から遠ざかり、おむつ１を左右に二分する中心線の方向へ進み始める部分をその内端部ということができる。実施例では、この内端部を股下区域８の前後方向中央部に位置させてあるが、それを前後方向のいずれか一方へ片寄らせることも可能である。これら第１、２、３弾性部材１５，１６，１７は、通常バックシート１２の内面に取付けるものであるが、それらをトップシート１１に取付けたり、第１、２弾性部材１５，１６と第３弾性部材１７とを互いに異なるシート１１または１２に取付けることもできる。
【００２５】
この発明に係る着用物品には、当該技術分野の慣用素材を使用することができる。それら素材を組立てるための接合や取付けには、周知の接合技術や熱融着技術を利用することができる。
【００２６】
【発明の効果】
この発明に係る着用物品においては、脚周りの前半分と後半分とに取付けた実質的に円弧を描く第１、第２弾性部材に、前後方向に伸長した第３弾性部材を交差させて脚周り部を囲み、脚の周り方向への伸縮性をもたせたから、それら第１、２弾性部材が交差部位において脚周り方向へ伸縮し難い場合でも、当該部位からの体液漏れを防止することができる。
【図面の簡単な説明】
【図１】  使い捨ておむつ（使い捨て着用物品）の斜視図。
【図２】  前後に伸展した使い捨ておむつの分解斜視図。
【図３】  バックシートの平面図。
【図４】  実施態様の一例を示すバックシートの平面図。
【図５】  実施態様の他の一例を示すバックシートの平面図。
【図６】  実施態様のさらに他の一例を示すバックシートの平面図。
【図７】  従来技術によるおむつのバックシートの平面図。
【符号の説明】
１      使い捨ておむつ（使い捨て着用物品）
３      脚周り開口部
５      脚周り弾性部材
６      前区域
７      後区域
８      股下区域
１１    トップシート
１２    バックシート
１４    脚周り部
１５    第１弾性部材
１５Ａ  一方の外端部
１６    第２弾性部材
１６Ｂ  他方の外端部
１７    第３弾性部材
【図１】
0003672510.tif 000002
【図２】
0003672510.tif 000003
【図３】
0003672510.tif 000004
【図４】
0003672510.tif 000005
【図５】
0003672510.tif 000006
【図６】
0003672510.tif 000007
【図７】
0003672510.tif 000008